(57)【要約】【課題】本考案は、OSの操作、種々のアプリケーションの一連の操作を記録し、それをアイコンやボタン等に割り当て、アイコン等のタップ（クリック）により、記録した複数の操作、入力を容易に実行するマクロ機能を装備したスマートフォンを提供することである。【解決手段】多数のアプリケーションを備えたスマートフォンにおいて、通常のアプリケーションに追加して、マクロ機能を装備し、マクロの記録を行い、アイコン化し、マクロの実行をすることにより、スマートフォン上のアプリケーション、クラウド上のアプリケーションを含む１以上のアプリケーションをまたいで、複数の操作を一括して自動的に実行できるようにしたことを特徴とするマクロ機能を装備（搭載）したスマートフォン。【選択図】図３
0003173248.tif 000002
【実用新案登録請求の範囲】
【請求項１】
多数のアプリケーションを備えたスマートフォンにおいて、通常のアプリケーションに追加して、マクロ機能を装備し、マクロの記録を行い、アイコン化し、マクロの実行をすることにより、スマートフォン上のアプリケーション（クラウド上のアプリケーションを含む）の１以上のアプリケーションをまたいだ一連の操作を一括して自動的に実行できるようにしたことを特徴とするマクロ機能を装備したスマートフォン。
【請求項２】
マクロの記録の対象としてＯＳの機能も含む請求項１に係るマクロ機能を装備したスマートフォン。
【請求項３】
マクロ機能を操作することにより作成したファイルを、必要に応じて、他のスマートフォン等の電磁処理端末に容易に転送処理、保存処理をできるようにした請求項１又は請求項２に記載したマクロ機能を装備したスマートフォン。
【請求項４】
マクロ処理を中断し、保留し、スマートフォンの他のアプリケーションを実行し、その後必要に応じてそれらを中断し、必要に応じて、自在に保留したマクロ処理を呼び出し、実行できるようにした請求項１〜３のいずれかに記載のマクロ機能を装備したスマートフォン。
【請求項５】
マクロ機能を装備したスマートフォンが、パソコン（PC）またはタブレット端末である請求項１〜４のいずれかに記載のマクロ機能を装備したスマートフォン。
【考案の詳細な説明】
【技術分野】
【０００１】
本考案は、スマートフォン上でマクロ機能を使えるようにすることにより、スマートフォンの実行操作をより簡略化したものを提供することである。
【背景技術】
【０００２】
近年、携帯電話は、老若男女を問わず常備品であり、その進歩には目を見張るものがある。とくに昨今は、スマートフォンやタブレット端末が世界中に急速に流行する勢いが感じられる。
また、スマートフォンは、その便利性、携帯性、軽量性、操作の簡便性から、携帯電話の分野に侵入し、圧倒的にそのシェアを広げつつある。そして、その機能を向上しつつある。
【０００３】
スマートフォンは、多数のアプリケーションを搭載しており、利用者が、必要に応じ、無料又は有料でそのアプリケーションを使用することができる。
【０００４】
しかしながら、従来、スマートフォンには、アプリケーションをまたぐマクロ機能を搭載したものはなかった。
【０００５】
特許文献１には、マクロ機能をもつエクセル（登録商標）を使用した図面作成ソフトであって、縮尺サイズ・印刷用紙サイズ・図面の種類・枠数・寸法等の各情報を入力する初期設定ステップと、パネル別に色を指定して用意された枠に入力した後、寸法枠を自動作成し、次に寸法枠に寸法を入力する絵図入力ステップと、表示及び印刷サイズのエラーを自動チェックする絵図登録ステップと、設計図のシートに設計図及び立体図を自動作成する設計図作成ステップとからなるステップを記録することが記載されている。また、データ処理方法には特許文献２から特許文献４が例示されている。
【０００６】
特許文献２には、状態遷移表形式のシステム仕様を、現状態、イベント、次状態、実行制御に関する情報を含む状態遷移単位情報の集合で構成することが開示され、実行制御に関する情報は、当該状態遷移に関連して実行制御されるプログラム及びその実行制御内容（起動、割込終了、割込一時停止、終了、復帰）を含む。実行制御表変換部は、この状態遷移表に基づいて、実行制御表形式のシステム仕様を生成する。実行制御表は、遷移、現実行処理内容、その終了タイプ、次プログラム、その起動タイプを含むプログラム状態遷移単位情報の集合からなる。システム実装変換部は、実行制御表に基づいて、システム記述言語で記述された実行可能な形式を持つシステム仕様を生成すること等々が記載されている。
【０００７】
また特許文献３には、標準施工図面データ群から呼び出した任意の基本図面を切り貼りにより編集するための図面編集手段と、施工図の作成を支援するＣＡＤ支援データが格納された記憶手段と、を備え、ＣＡＤ支援データが既存の施工図面に基づいて建物の構造体の種類別に類型化したひな形の基本図面データの集合からなる標準施工図面データ群と、構造体の開口部を形成する構造を部位別に類別した図面データの集合からなり、所定のピッチで異なる寸法の構造についての同一部位の画面データを当該構造体の種類別に分類して各部位別の図面データ集合に属するようになした構造体要素データ集合群と、異なる種類の構造体の間で共通に使用される共通部材を所定の寸法間隔で寸法の異なる共通部材の図面データの集合からなる共通部材データ群とを有し、図面データを利用した切り貼り編集を任意の呼び出した基本図面上で行うことにより所望の施工図面を作成することが記載されている。
【０００８】
さらに特許文献４には、描画機能を備えたCADソフト本体１に付設されるCADソフトであって、製図仕様に従った縮尺、レイヤー、線種線色等をあらかじめ定義する製図仕様定義データベース２と、前記製図仕様に応じた各種の指令を選択・入力することを可能とする選択・入力手段３と、当該選択・入力手段から選択・入力された指令に応じて前記製図仕様に対応した指令情報を前記CADソフト本体に送信して当該CADソフト本体側で実行させる作図支援手段４とを備えることが記載されている。
【先行技術文献】
【特許文献】
【０００９】
【特許文献１】特開２０１０−１０８４７３号公報
【特許文献２】特開２００２−２３００６２号広報
【特許文献３】特開２００２−３４２３８７号広報
【特許文献４】特開２００３−２３３６２７号広報
【考案の概要】
【考案が解決しようとする課題】
【００１０】
マクロは、特定の操作手順をプログラムとして記述し、その一連の操作を自動化する機能であり、事例的には、表計算、顧客名簿、住所録の整理、日報作成・送信、通信エラー（アンドロイドWiFiエラー）発生時の再接続処理（自動復帰）他、広範囲に適用することができる。
【００１１】
本考案者は、スマートフォンにマクロ機能を装備し、利用者が、必要に応じて、スマートフォンからマクロ機能を呼び出すことができ、当該情報処理ソフト内のみならず、各種の情報処理ソフト間においてマクロ機能を有効化し、マクロ機能を操作することにより、スマートフォンから、簡単にマクロ機能の処理手順を実行することができるようにしたものである。
【課題を解決するための手段】
【００１２】
本考案は、多数のアプリケーションを備えたスマートフォンにおいて、通常のアプリケーションに追加して、マクロ機能を装備し、マクロの記録を行い、アイコン化し、マクロの実行をすることにより、スマートフォン上のアプリケーションやクラウド上のアプリケーションを含む１以上のアプリケーションをまたいで、複数の操作手順を一括して自動的に実行できるようにしたことを特徴とするマクロ機能を装備した
スマートフォンである。
また本考案のマクロ機能を装備した スマートフォンは、マクロの記録としてＯＳ機能も含むことができる。
さらに本考案のマクロ機能を装備した スマートフォンは、マクロを操作することにより作成したファイルを、必要に応じて、他のスマートフォン等の電磁処理端末に容易に転送処理、保存処理をすることができる。
また本考案のマクロ機能を装備した スマートフォンは、マクロ処理を中断し、保留し、スマートフォンの他のアプリケーションを実行し、その後必要に応じて上記中断し、必要に応じて、自在に保留したマクロ処理を呼び出し、実行できるようにすることができる。
【考案の効果】
【００１３】
本考案のマクロ機能を装備したスマートフォンは、マクロ機能により一連の操作手順を容易に記録、実行、転送でき、OSの操作を含め、１以上のアプリケーションをまたぐ操作手順を簡単にマクロ化し、アイコン化又はボタン化し、それをタップ（クリック）することにより、簡単に特定のスマートフォン上で、一連のアプリケーションの操作を容易且つ迅速に実行することができる。
【図面の簡単な説明】
【００１４】
【図１】本考案の第１の実施例に係るフローチャートである。
【図２】本考案の第２の実施例に係るフローチャートである。
【図３】本考案の第３の実施例に係るフローチャートである。
【考案を実施するための形態】
【００１５】
本考案でいうマクロ機能とは、OSの操作、種々のアプリケーションにおける一連の操作を記録し、それをアイコン、ボタン等に  割り当て、アイコン等のタップ（クリック）により、記録した複数の操作、入力を容易に実行する機能を言う。
本発明で云うマクロ機能とは、主として次の3種に大別することができる。
１．マクロの記録
２．アイコン化
３．マクロの実行                                                
また、本考案でいうマクロ機能は、一度マクロの記録を行い、そのマクロに対応するアイコンを設けることにより、当該アイコンをタップ（クリック）することで、マクロは記録した同じ操作を自動的に繰り返すことができる。必要に応じて所望のマクロを多数作成することが出来、各々アイコンとして表示できる。                              
【実施例１】
【００１６】
本考案の実施例を図１に基づいて説明する。
スマートフォンの起動ボタン（スタートボタン）１１をタップする。そうすると、スマートフォンが使用可能となる。スマートフォンには、種々のアプリケーションが装備されている。メール、カメラ、ミュージック、ゲーム、各種データ、ワンセグ、お財布ケータイ等々である。
それらの上にマクロ機能を装備した点が、本考案の特徴となっている。
使用者は、マクロを選択するために、２１のマクロ選択ボタンをタップする。マクロ選択ボタンは、アプリケーションの選択としても良いし、スマートフォンにアイコンや専用のボタンを設けても良い。マクロをスマートフォンでよく使う人は、アイコンや専用のボタンのものが好ましい。
【００１７】
マクロを選択すると、表計算３１が表示される。表計算の表は、種々のものが可能である。エクセル（登録商標）や、顧客名簿、住所録、電話番号表、等々である。一般的にエクセル（登録商標）が周知のものであり、エクセル（登録商標）で加工、操作するのが好ましい。
上記表を選択し、４１で、データを入力する。ここでデータを完了すると、表示５１に移行する。ここで、データ入力が漏れていたり、不完全であったりすると、もう一度再入力となる。
【００１８】
表示５１は、表にデータを入力したものをそのまま表示しても良いし、グラフや、図表にしてもよい。一括表示でも良いし、選択ボタンを必要な個所に表示し、上記選択ボタンを選択して、各種グラフ、各種図表を選択するようにしても良い。
【００１９】
次に、データ送信６１により、データ送信する場合には、データを保存して、送信する場合は、アドレス欄に送信先を入力し、送信する。
送信しない場合には、データを保存して操作が完了となる。
【実施例２】
【００２０】
図２は、実施例２を表したものである。スタートボタン１２をタップして、スマートフォンを起動する。２２において、マクロを選択する。そして、３２において、表計算を選択する。４２において、データを入力する。
【００２１】
実施例１と異なるのは、データ入力に後に、データ変換８２を置いた点である。データ変換８２は、入力したデータをこの段階で更に処理することを意味する。すなわち、この段階で、追加、削除はもとより、一部のデータを細分したり、一部のデータを統合したりすることである。
【００２２】
一部のデータを細分するとは、一部のデータを枝分けしたり、一部のデータを枝分けし、他のデータに連結することを含むものである。そうすることにより、データをより見やすくしたり、データを理解するのを手助けすることができる。
【００２３】
一部にデータを統合するとは、一部のデータを大括りしたり、一部のデータを大括りして、他のデータに連結することを含むものである。そうすることにより、データをより見やすくしたり、データを理解するのを手助けすることができる。
【００２４】
データ変換したものを、表示５２させる。上記で述べたように、表にデータを入力したものをそのまま表示しても良いし、グラフや、図表にしてもよい。
【００２５】
６２において、データを送信するか、送信しないで単に保存しておくかを選択し、操作を完了する。
【実施例３】
【００２６】
この実施例は、このマクロ実行中に、他のアプリに、常時移行できるようにし、必要に応じて、元のマクロに戻ることができるようにしたものである。
まず、スタートボタン１３をタップする。つぎに、マクロ２３を選択する。そして、表計算３３を選択する。ここで、他のアプリに移行する場合、１０３で他のアプリを選択する。
他のアプリを実行したり、実行しなくても、元のマクロに戻ることができる。
【００２７】
そして、データ入力４３に移行する。データ入力中、又はデータ入力後において、上記のように、常時他のアプリに移行することができる。そして、他のアプリの実行中若しくは実行後において常に元のマクロに戻ることができるようにする。
【００２８】
データ入力完了後、データ変換選択をしても良いし、データ変換選択をせず直接表示に移行しても良い。また、データ変換選択中、又は、データ変換選択後に他のアプリに移行することができる。また、そして、データ変換実行中又はデータ変換後において常に元にマクロに戻ることができる。
【００２９】
表示５３において、表示中、又は、表示後に他のアプリに移行することができる。また、表示中において常に元のマクロに戻ることができる。
【００３０】
６３において、データを送信するか、送信しないで単に保存しておくかを選択し、操作を完了する。
【実施例４】
【００３１】
＜日報送信への対応例＞
この実施例では図示しないで手順のみ示す。
１スタート
２当該マクロのアイコン、又はボタンをタップ（クリック）（手動）
３日報ファイルを開く（表計算アプリの開始を含む）（自動）
４内容入力  （手動）
５日報ファイル保存（表計算アプリ終了を含む）（自動）
６メーラーアプリ起動（自動）
７新規メール作成（雛形題名＆雛形メール本文入力）（自動）
８あて先入力（自動）
１０日報ファイル添付（自動）
１１メール送信（自動）
１２メーラーアプリ終了（自動）
１３マクロ終了（自動）
１４END
このような手順をマクロ化するにより、日報作成・送信への対応を容易化することができる。
即ち、マクロの記録により、アイコン化し、マクロの実行を簡単に行える。
【実施例５】
【００３２】
＜通信エラー（アンドロイドWiFiエラー）発生時の再接続（復旧）手順のマクロ化＞
この実施例では図示しないで手順のみ示す。
１スタート
２当該マクロ実行
３アンドロイド「設定」ボタンタップ
４「無線とネットワークの設定」を選択
５「WiFi設定」を選択
６「当該アクセスポイント」を選択
７「接続」ボタンをタップ
８アンドロイド「ホーム」ボタンをタップ
９マクロ終了
１０END
このような手順をマクロ化することにより、通信エラー（アンドロイドWiFiエラー）発生時の再接続（復旧）対応を容易化することができる。
即ち、マクロの記録により、アイコン化し、マクロの実行を簡単に行える。
【図１】
0003173248.tif 000003
【図２】
0003173248.tif 000004
【図３】
0003173248.tif 000005
【手続補正書】
【提出日】平成23年11月17日(2011.11.17)
【手続補正１】
【補正対象書類名】実用新案登録請求の範囲
【補正対象項目名】全文
【補正方法】変更
【補正の内容】
【実用新案登録請求の範囲】
【請求項１】
多数のアプリケーションを備えたスマートフォンにおいて、通常のアプリケーションに追加して、マクロ機能を装備し、マクロの記録を行い、アイコン化し、マクロの実行をすることにより、スマートフォン上のアプリケーション若しくはクラウド上のアプリケーションの１以上のアプリケーションをまたいだ一連の操作を一括して自動的に実行できるようにしたことを特徴とするマクロ機能を呼び出すボタン若しくはアイコンを有するスマートフォン。
【請求項２】
マクロの記録の対象としてＯＳの機能も含む請求項１に係るマクロ機能を呼び出すボタン若しくはアイコンを有するスマートフォン。
【請求項３】
マクロ機能を操作することにより作成したファイルを、必要に応じて、他のスマートフォン等の電磁処理端末に容易に転送処理、保存処理をできるようにした請求項１又は請求項２に記載したマクロ機能を呼び出すボタン若しくはアイコンを有するスマートフォン。
【請求項４】
マクロ処理を中断し、保留し、スマートフォンの他のアプリケーションを実行し、その後必要に応じてそれらを中断し、必要に応じて、自在に保留したマクロ処理を呼び出し、実行できるようにした請求項１〜３のいずれかに記載のマクロ機能を呼び出すボタン若しくはアイコンを有するスマートフォン。
【請求項５】
マクロ機能を装備したスマートフォンが、パソコン（PC）またはタブレット端末である請求項１〜４のいずれかに記載のマクロ機能を呼び出すボタン若しくはアイコンを有するスマートフォン。